(57)【特許請求の範囲】
【請求項１】
凹状の収納空間を形成する下部底部および下部周壁部を有する下部ケースと、凹状をなす上部底部および上部周壁部を有し、前記収納空間を開閉可能に前記下部ケースに結合された上部ケースとを具備するケースと、
前記収納空間の閉鎖状態をロック／ロック解除する掛止解除部と、
を備え、
前記上部底部は、前記上部底部の中央領域に形成されたボタン開口を有し、
前記掛止解除部は、
前記上部ケースに設けられ、前記上部ケースを前記下部底部に向かって押圧する際、一側端部が前記ボタン開口を通過して前記下部底部に向かって回動可能に設けられたボタンと、
前記下部ケースに設けられ、前記下部底部の、前記ボタンの一側端部と前記下部周壁部との間の領域から前記上部ケース側に突出し、前記下部周壁部との対向面に係止溝が形成された係止壁部と、
前記上部ケースの内部に設けられ、ヘッド部と、前記ヘッド部から延設され、先端に掛止突起が形成された脚部とからなる作動部材と、
前記作動部材と前記上部ケースとの間に介在される復帰弾性体と、
を有し、
前記復帰弾性体は、前記ヘッド部の両側面から離隔する方向に延び、前記ヘッド部が前記下部周壁部に向かって移動される際、弾性力を蓄積可能に前記上部ケースに支持される一対の復帰弾性アームを含み、
前記ボタンが押圧されると、前記ヘッド部は前記下部周壁部側へ移動して、前記掛止突起は前記係止溝から離脱し、前記復帰弾性体は弾性力を蓄積するように作用することを特徴とする、クラムシェル型容器。
【請求項２】
前記係止壁部の上面には、前記上部ケースが前記収納空間を閉鎖するように前記下部ケースに接近する際、前記脚部の下降を案内する案内斜面が形成されることを特徴とする、請求項１に記載のクラムシェル型容器。
【発明の詳細な説明】
【技術分野】
【０００１】
本発明は、クラムシェル型容器に関し、より詳しくは、凹形の収納空間を形成する下部ケースと、収納空間を開閉可能に下部ケースに結合された上部ケースとを有する容器に関する。
【背景技術】
【０００２】
例えば、従来の顔化粧用コンパクトのような化粧品容器には、クリーム状、粉末状などの化粧物質を収納するための空間が形成されている。このような化粧品容器のうち、クラムシェル型容器は、下部ケースに形成された収納空間を上部ケースにより開閉可能に構成されている。
【０００３】
図１２は、従来のクラムシェル型容器の断面図である。従来のクラムシェル型容器は、図１２に示すように、収納空間１２０ａを形成するケース１１０と、ケース１１０の収納空間１２０ａが外部に対して閉鎖される状態を保持したり（ロック）、閉鎖された状態を解除したり（ロック解除）する掛止解除部１４０と、ケース１１０の内部に設けられる内部容器１６０とを有している。
【０００４】
ケース１１０は、下部ケース１２０と、下部ケース１２０に結合された上部ケース１３０とを有する。下部ケース１２０は、下部底部１２１および下部周壁部１２２からなり、凹状の収納空間１２０ａを形成する。下部周壁部１２２の前面には、開放補助溝１２２ａが形成される。上部ケース１３０は、上部底部１３１および上部周壁部１３２からなり、凹状の空間を形成する。このような構成を有する上部ケース１３０は、下部ケース１２０に回動可能に結合されている。これにより、上部ケース１３０を回動操作して、下部ケース１２０の収納空間１２０ａを開閉することができる。
【０００５】
掛止解除部１４０は、開放補助溝１２２ａに突出形成された係止段１４１と、上部周壁部１３２の前面下段（すなわち、上部ケース１３０の下部ケース１２０と結合された一端部と反対側の端部であって、上部ケース１３０を閉じる際に下部ケース１２０と対向する部分）から下方向（上部ケース１３０から下部ケース１２０）に向かって形成された掛止リブ１５２とからなる。掛止リブ１５２の内表面には、内部空間に向かって突出する掛止突起１５２ａが形成されている。
【０００６】
このような構成を有する従来のクラムシェル型容器は、まず、収納空間１２０ａが開放された状態から上部ケース１３０が下部ケース１２０に向けて押圧されると、上部ケース１３０が下部ケース１２０に向かって回動する。上部ケース１３０の回動が進行するにつれて、掛止リブ１５２は開放補助溝１２２ａに受容され、掛止突起１５２ａが係止段１４１に接触する。そして、掛止突起１５２ａが係止段１４１に接触すると、掛止突起１５２ａが係止段１４１を越える力で上部ケース１３０を押圧される。掛止突起１５２ａが係止段１４１を越えると、収納空間１２０ａは閉鎖され、掛止突起１５２ａと係止段１４１との相互作用により収納空間１２０ａは閉鎖状態を維持することになる。
【０００７】
一方、開放補助溝１２２ａを用いて下部ケース１２０から離隔する方向に上部ケース１３０を回動させると、掛止突起１５２ａは係止段１４１から離脱され、収納空間１２０ａは開放される。
【発明の開示】
【発明が解決しようとする課題】
【０００８】
ところが、従来のクラムシェル型容器によれば、掛止解除部１４０がケース１１０の外表面に形成されているので、見掛けが複雑になるという問題があった。
【０００９】
さらに、収納空間１２０ａを開閉する際、掛止突起１５２ａが無理に係止段１４１を越えるようにしなければならず、収納空間１２０ａの開閉動作が困難であるという問題があった。
【００１０】
また、収納空間１２０ａを開閉する際、掛止突起１５２ａと係止段１４１との間の摩耗が生じる。このため、クラムシェル型容器を使用するにつれて収納空間１２０ａの閉鎖状態を安定して維持できないという問題があった。
【００１１】
そこで、本発明は、上記問題に鑑みてなされたものであり、本発明の目的とするところは、見掛けが簡潔で、収納空間の開閉動作が容易であり、かつ収納空間の閉鎖状態を安定して維持することが可能な、新規かつ改良されたクラムシェル型容器を提供することにある。
【課題を解決するための手段】
【００１２】
上記課題を解決するために、本発明のある観点によれば、凹状の収納空間を形成する下部底部および下部周壁部を有する下部ケースと、凹状をなす上部底部および上部周壁部を有し、収納空間を開閉可能に下部ケースに結合された上部ケースとを具備するケースと、収納空間の閉鎖状態をロック／ロック解除する掛止解除部と、を備えるクラムシェル型容器が提供される。上部底部は、上部底部の中央領域に形成されたボタン開口を有している。また、掛止解除部は、上部ケースに設けられ、上部ケースを下部底部に向かって押圧する際、一側端部がボタン開口を通過して下部底部に向かって移動可能に設けられたボタンと、下部ケースに設けられ、下部底部の、ボタンの一側端部と下部周壁部との間の領域から上部ケース側に突出し、下部周壁部との対向面に係止溝が形成された係止壁部と、ケースの内部に設けられ、ヘッド部と、ヘッド部から延設され、先端に掛止突起が形成された脚部とからなる作動部材と、作動部材とケースとの間に介在される復帰弾性体と、を有する。そして、ボタンが押圧されると、ヘッド部は下部周壁部側へ移動して、掛止突起は係止溝から離脱し、復帰弾性体は弾性力を蓄積するように作用することを特徴とする。
【００１３】
ここで、復帰弾性体は、ヘッド部の両側面から離隔する方向に延び、ヘッド部が下部周壁部に向かって移動される際、弾性力を蓄積可能に上部ケースに支持される一対の復帰弾性アームを含んでもよい。これにより、掛止解除部の構造を簡単にすることができる。
【００１４】
また、係止壁部の上面には、上部ケースが収納空間を閉鎖するように下部ケースに接近する際、脚部の下降を案内する案内斜面を形成することもできる。これにより、脚部の下部周壁部と係止壁部との間への進入を案内することができる。
【発明の効果】
【００１５】
以上説明したように本発明によれば、掛止解除部をケースの内部に形成することによって、見掛けが簡潔になり、ボタンの回動動作により掛止突起と係止溝とが相互作用するよう構成することで、収納空間の開閉動作が容易になり、収納空間の閉鎖状態を安定的に維持することの可能なクラムシェル型容器を提供することができる。
【発明を実施するための最良の形態】
【００１６】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１７】
まず、図１〜図６に基づいて、本発明の実施形態にかかるクラムシェル型容器について説明する。なお、図１および図２は、本実施形態にかかるクラムシェル型容器の分解斜視図である。図３は、本実施形態にかかるクラムシェル型容器の斜視図である。図４は、図３のＡ−Ａ’線断面図である。図５および図６は、図１に示す作動部材と復帰弾性アームの設置状態を説明するための説明図である。
【００１８】
本発明の実施形態にかかるクラムシェル型容器は、図１に示すように、収納空間２０ａを形成するケース１０と、ケース１０の収納空間２０ａが外部に対して閉鎖される状態を保持したり（ロック）、閉鎖された状態を解除したり（ロック解除）する掛止解除部４０と、ケース１０の内部に設けられた容器支持体６０と、容器支持体６０に設けられた内部容器７１とを備える。
【００１９】
ケース１０は、下部ケース２０と、下部ケース２０に結合された上部ケース３０とを有する。下部ケース２０は、下部底部２１および下部周壁部２２を有し、凹状の収納空間２０ａを形成する。下部周壁部２２は、相対向して配置された下部前面壁部２２ａおよび下部背面壁部２２ｂと、下部背面壁部２２ｂと下部前面壁部２２ａとの間に介する一対の下部側面壁部２２ｃとを有する。下部背面壁部２２ｂは、その両端に一対のケース結合凹溝部２２ｄが形成されている。ケース結合凹溝部２２ｄには、弾性部材２２ｆが設けられている。下部周壁部２２の内表面には、固定段２２ｅが形成されている。
【００２０】
上部ケース３０は、図２に示すように、上部底部３１および上部周壁部３２と、上部前面壁部３２ａの内表面に上部底部３１と略重なるように結合された支持板部３３と、上部底部３１の底面（下部ケース２０と対向する側の面）から突出して形成された結合リブ３４とを備える。上部底部３１および上部周壁部３２によって、凹型を空間が形成される。
【００２１】
上部底部３１の中央領域には略長方形のボタン開口３１ａが形成されており、底面ボタン開口３１ａの一辺部の両端付近にはボタン回動ピン３１ｂが１つずつ形成されている。上部底部３１の、各ボタン回動ピン３１ｂが設けられた一辺部に対して底面ボタン開口３１ａと反対側の領域には、支え板部３１ｃが形成されている。上部周壁部３２は、相対向して配置された上部前面壁部３２ａおよび上部背面壁部３２ｂと、上部背面壁部３２ｂと上部前面壁部３２ａとの間に介する一対の上部側面壁部３２ｃとからなる。支持板部３３の中央領域には、案内溝３３ａが切取形成されている。
【００２２】
このような構成を有する上部ケース３０は、結合リブ３４とケース結合凹溝部２２ｄを貫通して設けられる一対のケース回動ピン３５により下部ケース２０に結合される。これにより、上部ケース３０を回動させると、収納空間２０ａを開放または閉鎖させることができる。
【００２３】
掛止解除部４０は、上部底部３１に結合されるボタン４１と、下部底部２１に形成された係止壁部４２と、ケース１０の内部に収容される作動部材５０と上部ケース３０との間に設けられる復帰弾性アーム４３とからなる。
【００２４】
ボタン４１は、略長方形状の押え板４１ａと、押え板４１ａの底面（下部ケース２０と対向する側の面）に形成された押圧壁部４１ｂと、一対のピン溝部４１ｃとを有する。押圧壁部４１ｂは、押え板４１ａの底面には押圧突部４１ｄが形成されており、押圧突部４１ｄの前方（上部前面周壁部３２ａの内面と対向する側）には係止リブ４１ｅが形成されている。押圧突部４１ｄは、押え板４１ａが下部底部２１に向けて回動する際、後述するヘッド部５１を押圧可能に形成される。このような構成を有するボタン４１は、各ピン溝部４１ｃに各ボタン回動ピン３１ｂが挿入され、ボタン４１の底面（上部ケース３０側の面）が支え板部３１ｃの上面に支持されるように設けられる。これにより、ボタン４１を下部底部２１に向けて押圧すると、押え板４１ａの前段部（ボタン開口３１ａと対向する部分）がボタン開口３１ａを通過して下部底部２１に向かって移動することができる。
【００２５】
係止壁部４２は、押え板４１ａの移動端部（前段部）と下部前面壁部２２ａとの間の領域に形成され、下部前面壁部２２ａとの対向面には係止溝４２ａが形成されている。そして、係止壁部４２の上面には、案内斜面４２ｂが形成されている（図４参照）。案内斜面４２ｂは、上部ケース３０が収納空間２０ａを閉鎖するように下部ケース２０に接近する際、後述する摺動斜面５２ｂと面接触して脚部５２の下降を案内可能に形成される。
【００２６】
作動部材５０は、ヘッド部５１と、ヘッド部５１から延設された脚部５２とからなる。ヘッド部５１は、スライディング板部５１ａと、スライディング板部５１ａの底面（下部ケース２０と対向する側の面）に形成された案内板部５１ｂとを有する。スライディング板部５１ａは、背面（脚部５２と反対側の面）の上部ケース３０側の両隅領域が切取されており、切取領域の間には下方向に向かって傾斜する作用斜面５１ｃが形成されている。案内板部５１ｂは、スライディング板部５１ａより狭い幅を有するように形成される。脚部５２は、案内板部５１ｂから突出するように形成されており、その先端部分には掛止突起５２ａが形成されている。そして、脚部５２の先端には、摺動斜面５２ｂが案内斜面４２ｂに沿って形成される。
【００２７】
このような構成を有する作動部材５０は、スライディング板部５１ａが支持板部３３の上面（下部ケース２０と反対側の面）に支持され、案内板部５１ｂが案内溝３３ａに挿入される。そして、図５に示すように、脚部５２が係止壁部４２と下部周壁部２２のとの間の領域に挿入され、掛止突起５２ａが係止溝４２ａに係止する。ここで、押圧突部４１ｄは、作動部材５０の作用斜面５１ｃに接触する。これにより、ボタン４１を下部底部２１に向けて押圧すると、押圧突部４１ｄと作用斜面５１ｃとの相互作用により、ヘッド部５１は下部前面壁部２２ａに向けて移動する。そして、ヘッド部５１が下部前面壁部２２ａに向けて移動する際、掛止突起５２ａは係止溝４２ａから離脱する。
【００２８】
復帰弾性アーム４３は、図２に示すように、スライディング板部５１ａの両側面から離隔する方向に延びるように形成される。復帰弾性アーム４３は、図６に示すように、異なる向きに２回折り曲げられることにより形成された１つの傾斜区間４３ａを備える。このような構成を有する各復帰弾性アーム４３は、図４に示すように、自由端が上部前面壁部３２ａの内表面に支持されるように設けられる。これにより、復帰弾性アーム４３は、ヘッド部５１が下部前面壁部２２ａに向けて移動される際に弾性力を蓄積することができる。
【００２９】
容器支持体６０は、略四角形の枠状のボディ部６１と、ボディ部６１の上部ケース３０側の周縁部から外側に向けて延出形成された支持フランジ６２とを有する。支持フランジ６２には、前方領域（下部ケース２０の下部前面壁部２２ａに対応する側の領域）に通過溝６２ａが形成されており、後方領域（下部ケース２０の下部背面壁部２２ｂに対応する側の領域）には一対の通過凹溝６２ｄが切り欠き状に形成されている。通過溝６２ａは、脚部５２の移動経路上に形成される。そして、支持フランジ６２には、図１に示すように、固定段２２ｅに対応する左側領域に一対の支持突部６２ｂが形成されている。また、支持フランジ６２の底面（下部ケース２０と対向する側の面）には、図２に示すように、固定リブ６２ｃが分散して形成されている。このような構成を有する容器支持体６０は、支持フランジ６２が係止壁部４２と下部周壁部２２に支持され、固定リブ６２ｃが固定段２２ｅと係止するよう設けられる。ここで、容器支持体６０は、通過凹溝６２ｄがケース結合凹溝部２２ｄの上側に位置するように配置される。
【００３０】
内部容器７１は、図１に示すように、固定段２２ｅに対応する左側領域に一対のキャップ結合凹溝部７１ａが形成される。このような構成を有する内部容器７１は、キャップ結合凹溝部７１ａに形成されたキャップ結合突起７１ｂを介して支持突部６２ｂに結合される。
【００３１】
以上、本実施形態にかかるクラムシェル型容器の構成について説明した。このようなクラムシェル型容器を構成する各部を組み合わせると、図３に示すように、下部ケース２０と上部ケース３０とを合わせた、略直方体形状の容器となる。本実施形態にかかるクラムシェル型容器は、上部ケース３０を押圧して閉鎖することができ、上部ケース３０に設けられたボタン４１を押下することにより開放することができる。
【００３２】
次に、このような構成を有する本実施形態に係るクラムシェル型容器の使用方法について、図７〜図１１に基づいて説明する。なお、図７は、本実施形態にかかるクラムシェル型容器の横断面図である。図８は、作動部材５０の作用を説明するための説明図である。図９は、復帰弾性アーム４３の作用を説明するための説明図である。図１０は、本実施形態にかかるクラムシェル型容器を開放するためにボタン４１を押下した状態を示す横断面図である。図１１は、本実施形態にかかるクラムシェル型容器の開放過程を説明するための横断面図である。
【００３３】
まず、図７に示すように、収納空間２０ａが開放された状態から、下部ケース２０に向かって上部ケース３０を回動させる。上部ケース３０が下部ケース２０に向かって回動すると、脚部５２は案内斜面４２ｂの案内を受けて係止壁部４２と下部周壁部２２のとの間の領域に進入する。脚部５２が係止壁部４２と下部周壁部２２との間の領域に進入する間、復帰弾性アーム４３には、図６に示す状態から図８および図９に示す状態となることによりボタン４１側へ戻ろうとする弾性力が蓄積され、復帰弾性アーム４３に蓄積された弾性力により掛止突起５２ａは係止溝４２ａに進入する。掛止突起５２ａが係止溝４２ａに進入すると収納空間２０ａは閉鎖され、収納空間２０ａの閉鎖状態は掛止突起５２ａと係止溝４２ａとの相互作用により維持される。このとき、図４に示す状態となる。そして、収納空間２０ａが閉鎖される前に、上部ケース３０は弾性体２２ｆを押圧し、弾性体２２ｆに弾性力が蓄積される。
【００３４】
一方、閉鎖された収納空間２０ａは、以下の方法により開放することができる。まず、例えば人差し指を使用してボタン４１を下部底部２１に向けて押圧すると、図１０に示すように、押圧壁部４１ｂはボタン回動ピン３１ｂ回りに下部底部２１に向かって回動する。これにより、ボタン４１はボタン開口３１ａを通過して下部底部２１に向かって移動し、押圧突部４１ｄは、図１０に示すように作用斜面５１ｃを押圧しながら下降する。押圧突部４１ｄが下降すると、図１０に示すように作動部材５０は下部前面壁部２２ａ側に移動し、掛止突起５２ａが係止溝４２ａから離脱する。作動部材５０が下部前面壁部２２ａ側に移動する際、復帰弾性アーム４３は図８および図９に示す状態となり、復帰弾性アーム４３には弾性力が蓄積される。また、掛止突起５２ａが係止溝４２ａから離脱する際、弾性部材２２ｆに蓄積された弾性力により収納空間２０ａは部分的に開放される。
【００３５】
次いで、図１１に示すように、収納空間２０ａが部分的に開放された状態になると、ボタン４１に対する押圧力は解除される。ボタン４１に対する押圧力が解除されると、復帰弾性アーム４３に蓄積された弾性力により作動部材５０は原位置に戻る。作動部材５０が原位置に戻る際、作用斜面５１ｃに沿ってボタン４１も原位置に戻る。
【００３６】
さらに、下部ケース２０から離隔する方向に上部ケース３０を回動させると、図７に示すように、収納空間２０ａが完全に開放される。
【００３７】
以上、本実施形態にかかるクラムシェル型容器の使用方法について説明した。本実施形態によれば、掛止解除部４０をケース１０の内部に形成することによって、見掛けが簡潔になる。そして、ボタン４１の回動動作により掛止突起５２ａと係止溝４２ａとを相互に作用させることで、収納空間２０ａの開閉動作が容易になり、収納空間２０ａの閉鎖状態を安定して維持することができる。また、復帰弾性アーム４３を作動部材５０と一体形成することによって、掛止解除部４０の構造を簡単にすることができる。
【００３８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００３９】
【図１】本発明の実施形態に係るクラムシェル型容器の分解斜視図である。
【図２】同実施形態に係るクラムシェル型容器の分解斜視図である。
【図３】同実施形態に係るクラムシェル型容器の斜視図である。
【図４】図３のＡ−Ａ’線断面図である。
【図５】図１に示す作動部材と復帰弾性アームの設置状態図である。
【図６】図１に示す作動部材と復帰弾性アームの設置状態図である。
【図７】同実施形態に係るクラムシェル型容器の横断面図である。
【図８】同実施形態に係る作動部材の作用を説明するための説明図である。
【図９】同実施形態に係る復帰弾性アームの作用を説明するための説明図である。
【図１０】同実施形態に係るクラムシェル型容器を開放するためにボタンを押下した状態を示す横断面図である。
【図１１】同実施形態に係るクラムシェル型容器の開放過程を説明するための横断面図である。
【図１２】従来のクラムシェル型容器の断面図である。
【図１３】図１２に示す掛止解除部の動作状態図である。
【符号の説明】
【００４０】
１０、１１０    ケース
２０、１２０    下部ケース
２１、１２１    下部底部
２２、１２２    下部周壁部
３０、１３０    上部ケース
３１、１３１    上部底部
３２、１３２    上部周壁部
３３            支持板部
４０、１４０    掛止解除部
４１            ボタン
４２            係止壁部
４３            復帰弾性アーム
５０            作動部材
７１、１６０    内部容器
１４１          係止段
１５２          掛止リブ
【図１】
0004856660.tif 000002
【図２】
0004856660.tif 000003
【図３】
0004856660.tif 000004
【図４】
0004856660.tif 000005
【図５】
0004856660.tif 000006
【図６】
0004856660.tif 000007
【図７】
0004856660.tif 000008
【図８】
0004856660.tif 000009
【図９】
0004856660.tif 000010
【図１０】
0004856660.tif 000011
【図１１】
0004856660.tif 000012
【図１２】
0004856660.tif 000013
【図１３】
0004856660.tif 000014